(57)【要約】【課題】比較的簡易な構成により、空気調和ユニットの運転を中断することなく、フィルタに付着した塵埃を自動的に除去することが可能な空気調和ユニットを提供する。【解決手段】空気調和ユニットは、本体ケース１０と、その内部に配設された熱交換器６と、送風ファン７と、塵埃を捕捉するフィルタ３０と、フィルタ３０を所定の第１角度位置と第２角度位置との間で揺動させるように構成されたフィルタ移動手段４０とを具備し、フィルタ３０は、第１面３０ａと該第１面の反対側の第２面３０ｂとを有し、フィルタ３０が第１角度位置に配置されたとき、フィルタ３０の第１面３０ａが空気流の圧力を受け、フィルタ３０が第２角度位置に配置されたとき、フィルタ３０の第２面３０ｂが空気流の圧力を受けてフィルタ３０に付着していた塵埃が空気流により除去される。【選択図】図２
2008196773.tif 000002
【特許請求の範囲】
【請求項１】
本体ケース（１０）と、その内部に配設された熱交換器（６）と、送風ファン（７）と、前記送風ファン（７）によって生み出される空気流に含まれる塵埃を捕捉するフィルタ（３０）と、前記フィルタ（３０）を所定の第１角度位置と第２角度位置との間で揺動させるように構成されたフィルタ移動手段（４０）とを具備する空気調和ユニットであって、
前記フィルタ（３０）は、第１面（３０ａ）と該第１面の反対側の第２面（３０ｂ）とを有し、
前記フィルタ（３０）が前記第１角度位置に配置されたとき、前記フィルタ（３０）の第１面（３０ａ）が前記空気流の圧力を受け、
前記フィルタ（３０）が前記第２角度位置に配置されたとき、前記フィルタ（３０）の第２面（３０ｂ）が前記空気流の圧力を受けて、前記フィルタ（３０）に付着していた塵埃が前記空気流により除去されることを特徴とする空気調和ユニット。
【請求項２】
前記熱交換器（６）を覆うように前記本体ケース（１０）内に配置された内部ダクト（２０）を更に具備し、
前記内部ダクト（２０）は、前記熱交換器（６）の上流側に空気流入口（２５）を、及び下流側に空気流出口（２６）を備え、
前記フィルタ（３０）は、それが前記第１角度位置に配置されたとき前記空気流入口（２５）を覆うことを特徴とする、請求項１に記載の空気調和ユニット。
【請求項３】
本体ケース（１０）と、その内部に配設された熱交換器（６）と、送風ファン（７）と、前記送風ファン（７）によって生み出される空気流に含まれる塵埃を捕捉する第１及び第２フィルタ（３０、３１）と、前記第１及び第２フィルタ（３０、３１）を所定の第１角度位置と第２角度位置との間でそれぞれ独立に揺動させるように構成されたフィルタ移動手段（１４０）とを具備する空気調和ユニットであって、
前記第１及び第２フィルタ（３０、３１）は、それぞれ第１面（３０ａ、３１ａ）と該第１面の反対側の第２面（３０ｂ、３１ｂ）とを有し、
前記第１及び第２フィルタ（３０、３１）が前記第１角度位置に配置されたとき前記第１及び第２フィルタ（３０、３１）のそれぞれの第１面（３０ａ、３１ａ）が前記空気流の圧力を受け、
前記第１及び第２フィルタ（３０、３１）が前記第２角度位置に配置されたとき、前記第１及び第２フィルタ（３０、３１）のそれぞれの第２面（３０ｂ、３１ｂ）が前記空気流の圧力を受けて、前記第１及び第２フィルタ（３０、３１）に付着していた塵埃が前記空気流により除去されることを特徴とする空気調和ユニット。
【請求項４】
前記本体ケース（１０）が、前記第２角度位置に配置された前記第１及び第２フィルタ（３０、３１）に対向する位置に形成された開閉可能な塵埃排出口（１３）を備え、
前記第１及び第２フィルタ（３０、３１）が前記第２角度位置に配置されたとき、前記塵埃排出口（１３）を所定の時間だけ開放することを特徴とする、請求項３に記載の空気調和ユニット。
【請求項５】
前記熱交換器（６）を覆うように前記本体ケース（１０）内に配置された内部ダクト（２０）を更に具備し、
前記内部ダクト（２０）は、前記熱交換器（６）の上流側に空気流入口（２５）を、及び下流側に空気流出口（２６）を備え、
前記第１及び第２フィルタ（３０、３１）は、それらが前記第１角度位置に配置されたとき前記空気流入口（２５）を覆うことを特徴とする、請求項３又は４に記載の空気調和ユニット。
【請求項６】
本体ケース（１０）と、その内部に配設された熱交換器（６）と、送風ファン（７）と、前記送風ファン（７）によって生み出される空気流に含まれる塵埃を捕捉する無端帯状フィルタ（３２）と、前記無端帯状フィルタ（３２）を所定の軌道に沿って循環移動させるフィルタ移動手段（４０）とを具備する空気調和ユニットであって、
前記フィルタ移動手段（２４０）は、前記無端帯状フィルタ（３２）が掛け回される複数のローラ（４３、４４、４５）を具備して、前記無端帯状フィルタ（３２）を前記熱交換器の上流側の第１位置と下流側の第２位置を通る軌道に沿って循環移動させるように構成されており、
前記無端帯状フィルタ（３２）の前記第１位置に配置された部分の外面（３２ａ）が前記空気流の圧力を受け、前記第２位置に配置された部分の内面（３２ｂ）が前記空気流の圧力を受けて前記第２位置に配置された部分に付着していた塵埃が前記空気流により除去されることを特徴とする、空気調和ユニット。
【発明の詳細な説明】
【技術分野】
【０００１】
本発明は、空気調和ユニットに関するものである。
【背景技術】
【０００２】
通常、空気調和ユニットは、熱交換器及び送風ファンと共にフィルタを備えており、前記フィルタは空気調和ユニットケース内部を流通する空気に含まれる塵埃を除去するものである。このフィルタに対しては定期的な清掃が必要であるが、フィルタの脱着が困難または面倒などの理由で所定の周期で清掃されないことがしばしばある。例えば、バス用の空気調和ユニットの一つであるクーリングユニットでは、バスの天井面に設けられた吸い込み口に設置されたフィルタに保守担当者の手が届かないということから所定の清掃の不実施にいたることもある。フィルタの清掃が適正に実施されないと、周知の通り、空気の流通抵抗が増えて熱交換能力が低下して冷房又は暖房能力が低下するだけでなく、異臭の発生という問題も生じる。
【０００３】
このため、空気調和ユニットのフィルタの清掃を自動的に実施する提案がいくつかなされており、例えば特許文献１では、フィルタに付着した塵埃を吸引装置が吸引ノズルから吸引するフィルタ装置が記載されており、また特許文献２では、送風ファンを逆回転させることによりフィルタに付着していた塵埃を取り除くエアコン装置が記載されている。
【０００４】
【特許文献１】特開２００６−２８４０４５号公報
【特許文献２】特開２０００−２９１９９９号公報
【発明の開示】
【発明が解決しようとする課題】
【０００５】
ただし、特許文献１に記載されたフィルタ装置の場合、吸引ノズルと、吸引装置と、吸引ノズルと吸引装置を連結する屈曲自在な吸引ダクトと、吸引ノズル及びそれに接続された吸引ダクトをフィルタの横幅分だけ水平に移動させるための移動機構とを備える必要があることから構造が複雑になり、特に大量生産をされない大型バス用の空気調和ユニットには製造原価の条件から採用することが難しい。
【０００６】
一方、特許文献２に記載されたエアコン装置の場合、フィルタを清掃する際は送風ファンを逆回転させるので、その間は通常の冷房または暖房運転を中断しなければならないことが基本的な問題としてある。
【０００７】
本発明は、前述した従来技術の課題に鑑みてなされたもので、比較的簡易な構成により、空気調和ユニットの運転を中断することなく、フィルタに付着した塵埃を自動的に除去することが可能な空気調和ユニットを提供することを目的とする。
【課題を解決するための手段】
【０００８】
本発明は、上記目的を達成するために、以下の技術的手段を採用する。
【０００９】
請求項１に記載された本発明では、空気調和ユニットが、本体ケース（１０）と、その内部に配設された熱交換器（６）と、送風ファン（７）と、送風ファン（７）によって生み出される空気流に含まれる塵埃を捕捉するフィルタ（３０）と、フィルタ（３０）を所定の第１角度位置と第２角度位置との間で揺動させるように構成されたフィルタ移動手段（４０）とを具備し、フィルタ（３０）は、第１面（３０ａ）と該第１面の反対側の第２面（３０ｂ）とを有し、フィルタ（３０）が第１角度位置に配置されたとき、フィルタ（３０）の第１面（３０ａ）が空気流の圧力を受け、フィルタ（３０）が第２角度位置に配置されたとき、フィルタ（３０）の第２面（３０ｂ）が空気流の圧力を受けて、フィルタ（３０）に付着していた塵埃が空気流により除去されることを特徴としている。
【００１０】
これにより、フィルタ支持枠（４１）に装着されたフィルタ（３０）は、揺動運動によって上流側の第１角度位置と下流側の第２角度位置との間を移動するとき、移動に伴って空気流に対するフィルタの表裏の面（３０ａ、３０ｂ）が反転されて、塵埃の捕捉とフィルタ（３０）が捕捉した塵埃の除去をそれぞれの位置で行うことができる。また、フィルタ移動手段（４０）は、揺動運動を利用するので、比較的簡易な構造でフィルタの移動を実現でき、また揺動の中心軸線を熱交換器（６）に対して適当な位置に設定すればスペース効率の高い配置が可能になる。さらに、フィルタ（３０）が第２角度位置に配置されているとき及び移動中においても、クーリングユニットの運転を継続することができる。
【００１１】
請求項２に記載の発明では、前述の空気調和ユニットが、熱交換器（６）を覆うように本体ケース（１０）内に配置された内部ダクト（２０）を更に具備し、内部ダクト（２０）は、熱交換器（６）の上流側に空気流入口（２５）を、及び下流側に空気流出口（２６）を備え、フィルタ（３０）は、それが第１角度位置に配置されたとき空気流入口（２５）を覆うことを特徴としている。
【００１２】
内部ダクト（２０）を設けて、フィルタ（３０）が内部ダクトの空気流入口（２５）を覆うので、本体ケース（１０）内を流れる空気のほとんど全てがフィルタ（３０）を通過するように構成することが可能になる。
【００１３】
請求項３に記載の発明では、空気調和ユニットが、本体ケース（１０）と、その内部に配設された熱交換器（６）と、送風ファン（７）と、送風ファン（７）によって生み出される空気流に含まれる塵埃を捕捉する第１及び第２フィルタ（３０、３１）と、第１及び第２フィルタ（３０、３１）を所定の第１角度位置と第２角度位置との間でそれぞれ独立に揺動させるように構成されたフィルタ移動手段（１４０）とを具備し、第１及び第２フィルタ（３０、３１）は、それぞれ第１面（３０ａ、３１ａ）と該第１面の反対側の第２面（３０ｂ、３１ｂ）とを有し、第１及び第２フィルタ（３０、３１）が第１角度位置に配置されたとき第１及び第２フィルタ（３０、３１）のそれぞれの第１面（３０ａ、３１ａ）が空気流の圧力を受け、第１及び第２フィルタ（３０、３１）が第２角度位置に配置されたとき、第１及び第２フィルタ（３０、３１）のそれぞれの第２面（３０ｂ、３１ｂ）が空気流の圧力を受けて、第１及び第２フィルタ（３０、３１）に付着していた塵埃が空気流により除去されることを特徴としている。
【００１４】
これにより、フィルタ（３０、３１）が二つ具備されて、それらを第１角度位置と第２角度位置に交互に配置することが可能になるので、第１角度位置にはどちらか一方のフィルタを必ず配置するように運用することができ、したがってフィルタ（３０、３１）による塵埃の捕捉を継続的に実行することが可能になる。
【００１５】
請求項４に記載の発明では、請求項３に記載の空気調和ユニットにおいて、本体ケース（１０）が、第２角度位置に配置された第１及び第２フィルタ（３０、３１）に対向する位置に形成された開閉可能な塵埃排出口（１３）を備え、第１及び第２フィルタ（３０、３１）が第２角度位置に配置されたとき、塵埃排出口（１３）を所定の時間だけ開放することを特徴としている。
【００１６】
これにより、第１及び第２フィルタ（３０、３１）が第２角度位置に配置されたとき、第１及び第２フィルタ（３０、３１）のそれぞれの第２面（３０ａ、３１ａ）が圧力を受けるので、第１及び第２フィルタ（３０、３１）に付着していた塵埃を空気流により除去して、塵埃排出口から本体ケース（１０）の外側に排出することが可能になる。
【００１７】
請求項５に記載の発明では、請求項３又は４に記載の発明における空気調和ユニットが、熱交換器（６）を覆うように本体ケース（１０）内に配置された内部ダクト（２０）を更に具備し、内部ダクト（２０）は、熱交換器（６）の上流側に空気流入口（２５）を、及び下流側に空気流出口（２６）を備え、第１及び第２フィルタ（３０、３１）は、それらが第１角度位置に配置されたとき空気流入口（２５）を覆うことを特徴としている。
【００１８】
内部ダクトを設けて、フィルタ（３０、３１）が内部ダクトの空気流入口（２５）を覆うので、本体ケース内を流れる空気のほとんど全てがフィルタ（３０、３１）を通過するように構成することが可能になる。
【００１９】
請求項６に記載の発明では、空気調和ユニットは、本体ケース（１０）と、その内部に配設された熱交換器（６）と、送風ファン（７）と、送風ファン（７）によって生み出される空気流に含まれる塵埃を捕捉する無端帯状フィルタ（３２）と、無端帯状フィルタ（３２）を所定の軌道に沿って循環移動させるフィルタ移動手段（４０）とを具備し、フィルタ移動手段（２４０）は、無端帯状フィルタ（３２）が掛け回される複数のローラ（４３、４４、４５）を具備して、無端帯状フィルタ（３２）を熱交換器の上流側の第１位置と下流側の第２位置を通る軌道に沿って循環移動させるように構成されており、無端帯状フィルタ（３２）の第１位置に配置された部分の外面（３２ａ）が空気流の圧力を受け、第２位置に配置された部分の内面（３２ｂ）が空気流の圧力を受けて第２位置に配置された部分に付着していた塵埃が空気流により除去されることを特徴としている。
【００２０】
無端帯状フィルタ（３２）とそれが掛け回される複数のローラ（４３、４４、４５）を備える比較的簡易なフィルタ移動手段（２４０）を利用することにより、フィルタ（３２）の移動とその表裏の反転を実現でき、また無端帯状フィルタ（３２）の内部に熱交換器（６）を配置できるのでスペース効率の高い配置が可能になる。さらに、無端帯状フィルタ（３２）の循環移動は空気調和ユニットの運転中に実施することが可能である。
【００２１】
なお、上記各手段の括弧内の符号は、後述する実施例に記載の具体的手段との対応関係を示す一例である。
【発明を実施するための最良の形態】
【００２２】
以下、本発明の好適な実施例について図面を参照しながら説明する。
【００２３】
（第１の実施例）
本明細書では、大型バス等の屋根上に搭載されるクーリングユニットを本発明による空気調和ユニットの実施例として説明する。図１は、コンデンシングユニット２及びクーリングユニット１から構成される車両用空気調和装置３がバス４の屋根上に搭載された状態を示している。コンデンシングユニット２内には、外気と熱交換を行うために、高温側の熱交換器としてのコンデンサやコンデンサ冷却ファン等（いずれも図示せず）が収容されており、クーリングユニット１内には、室内空気と熱交換を行うために、低温側の熱交換器としてのエバポレータ、送風ファン、及びエアフィルタ等（いずれも図示せず）が収容されている。また、クーリングユニット１で冷却された空気を各座席の上部に供給するためのクーラーダクト５が車室内の天井に配設されている。
【００２４】
図２及び３は、本発明による第１の実施例のクーリングユニット１の内部を模式的に示す側面断面図である。この図に示されるように、クーリングユニット１は、空気吸入口１１及び空気吹出口１２を備えることにより空気流通路が内部に形成された本体ケース１０と、エバポレータ６と、このエバポレータ６の下流に配置された送風ファン７と、エバポレータ６の上流側の第１角度位置（図２）又は下流側の第２角度位置（図３）に配置されたフィルタ３０とを具備している。本体ケース１０内には更に半円筒状の内部ダクト２０が配設されており、エバポレータ６とフィルタ３０は前記内部ダクト２０の内側に配置されている。またフィルタ３０は内部ダクト２０の円筒の曲率より僅かに大きな曲率で湾曲している。
【００２５】
図４は、内部ダクト２０と後述するフィルタ支持枠４１とそれに装着されたフィルタ３０とを示す斜視図であるが、内部ダクト２０は、図４及び図２、３に示されるように、半円筒状の円周壁部２１と、半円形状の一対の端壁部２２と、端壁部２２の内側に設けられた帯状のガイド部２３とから形成されている。前記円筒の中心軸線ＡＸはエバポレータ６を通過する空気流の方向に垂直の方向を有し、エバポレータ６の底部の中心に位置している。前記中心軸線ＡＸに対応して、両端壁部２２に軸受２４が設けられており、この軸受２４は後述するフィルタ支持枠４１の枢軸４１ｃを支持する。また、円周壁部２１には、中に配置されるエバポレータ６の上流側に矩形の空気流入口２５が、及び下流側に矩形の空気流出口２６が形成されている。
【００２６】
本発明によるクーリングユニット１は、フィルタ移動手段４０を更に具備しており、前記フィルタ移動手段４０は、フィルタ３０を装着するフィルタ支持枠４１とこのフィルタ支持枠４１を前記中心軸線ＡＸを中心にして揺動させる駆動手段としての図示しないモータとを具備し、フィルタ支持枠４１に装着したフィルタ３０を、図２に示される第１角度位置と図３に示される第２角度位置との間で揺動させることができる。
【００２７】
フィルタ支持枠４１は、図４に示されるように、中心角αが約４０度の略扇形の一対の側板部分４１ａと、その一対の側板部分４１ａを連結すると共にフィルタ３０を装着する枠部分４１ｂとから形成されている。また、側板部分４１ａの扇形の中心に相当する側に、枢軸４１ｃが設けられていて、この枢軸４１ｃが、内部ダクト２０の軸受２４に支持されることにより、フィルタ支持枠４１は前記中心軸線ＡＸを中心にして内部ダクト２０の内側で揺動可能にされる。また、一方の枢軸４１ｃに前記モータ（不図示）が連結されている。
【００２８】
フィルタ３０は、それが前記第１角度位置に配置されたとき、内部ダクト２０の空気流入口２５を内側より覆い、前記第２角度位置に配置されたとき、内部ダクト２０の空気流出口２６を内側より覆うことができる。
【００２９】
また、クーリングユニットの運転中において、フィルタ３０が第１角度位置に配置されると、フィルタの外面３２ａが空気流の圧力を受け、第２角度位置に配置されると、フィルタの内面３０ｂが空気流の圧力を受けることとなるので、第２角度位置に配置されたフィルタ３０からはそれに付着していた塵埃が空気流の力によって除去される。
【００３０】
クーリングユニットの運転時間に応じて、フィルタ３０を上流側の第１位置から下流側の第２位置に移動させて再び第１位置に戻すように揺動させることは、タイマーを含む適当な制御ユニット（不図示）によって前記モータ（不図示）を制御することにより容易に可能である。また、フィルタ３０の揺動運動中及びそれが第２角度位置に配置されている間にクーリングユニットの運転を中断する必要はない。
【００３１】
この第１の実施例においては、通風方式は、送風ファン７がエバポレータ６の下流側に配置された所謂吸引方式であったが、送風ファン７がエバポレータ６の上流側に配置された所謂圧送方式による本発明の実施例も可能である。
【００３２】
（第２の実施例）
図５の（ａ）及び（ｂ）は、第２の実施例のクーリングユニットのフィルタ及びフィルタ支持枠を模式的に示す平面図及び側面図である。第２の実施例のクーリングユニットは、フィルタとして第１及び第２フィルタ３０、３１を具備すると共に、フィルタ移動手段１４０が第１及び第２フィルタ３０、３１をそれぞれ装着するための第１及び第２フィルタ支持枠４１、４２を具備している。第１フィルタ支持枠４１は第１の実施例におけるフィルタ支持枠４１と同様のものであり、第２フィルタ支持枠４２は、第１フィルタ支持枠に同様の構造を有しているが、横幅及び中心軸線ＡＸから半径方向外端までの寸法が第１フィルタ支持枠より若干小さく作られている。
【００３３】
図５の（ａ）は、第１フィルタ支持枠４１に装着された第１フィルタ３０が上流側の第１角度位置に配置され、第２フィルタ支持枠４２に装着された第２フィルタ３１が下流側の第２角度位置に配置された状態を示し、また図５の（ｂ）は、第２フィルタ３１が第１角度位置に配置されて、第１フィルタ３０が第２角度位置に配置された状態を示している。
【００３４】
図５の（ａ）及び（ｂ）では、内部ダクト２０等は図示されていないが、第１及び第２フィルタ支持枠４１、４２は第１の実施例の場合と同様に内部ダクト２０の内側を回動するように、それらの枢軸４１ｃ、４２ｃが内部ダクト２０の軸受（不図示）に支持されて中心軸線ＡＸを中心に揺動可能にされている。また、第１及び第２フィルタ支持枠４１、４２がそれぞれ独立に揺動可能であるように、駆動手段としてのそれぞれの第１及び第２モータ（不図示）が各枢軸に連結されている。なお、第２フィルタ支持枠４２は、第１フィルタ支持枠４１とのすれ違いが可能であるように、前述したとおり、第１フィルタ支持枠４１より若干小さく作られている。
【００３５】
第２の実施例のクーリングユニットでは、第１角度位置に配置された各フィルタの外面３０ａ、３１ａに空気流の圧力が作用し、第２角度位置に配置された各フィルタの内面３０ｂ、３１ｂに空気流の圧力が作用する。これにより、例えば第１フィルタ３０を第１角度位置に配置して塵埃を捕捉している間に第２フィルタ３１を第２角度位置に配置してそれに付着していた塵埃を除去し、所定の運転時間が経過したら第１フィルタ支持枠４１と第２フィルタ支持枠４２の位置を自動的に互いに入れ替えることにより、今度は第２フィルタ３１で塵埃を捕捉する間に第１フィルタ３０に付着していた塵埃を除去するというような運用が可能になる。
【００３６】
（第３の実施例）
第３の実施例のクーリングユニットは、その概略の側面断面図である図６に示されるように、第２の実施例の場合と同様に２つの第１及び第２フィルタ３０、３１を具備し、フィルタ移動手段１４０は同様に第１及び第２フィルタ支持枠４１、４２を具備している。但し、第２角度位置が前述の実施例の場合のものと比べて第１角度位置側に近づいており、この第２角度位置に配置された第２フィルタ３１に対向して本体ケース１０が開閉可能な塵埃排出口１３を有すること、及び送風ファン７がエバポレータ６の上流側に配置されていることが第２の実施例とは異なっており、また内部ダクト２０の空気流出口２６の円周方向の幅も拡大している。図６は、第１フィルタ３０が第１角度位置に配置され第２フィルタ３１が第２角度位置に配置された状態を代表的に示しているが、もちろん第１フィルタ３０と第２フィルタ３１の配置を入れ替えることができる。
【００３７】
本体ケース１０の塵埃排出口１３は、そこに枢着されて回動する蓋１４によって開閉される。なお、蓋１４は、図示しないモータ等の蓋駆動手段によって回動される。
【００３８】
本実施例における内部ダクト２０の下流側には前記半円筒形の半径方向に延びる可動の遮蔽板２７が設けられている。遮蔽板２７は、通常はほぼ水平の位置にあるが、エバポレータ６の底面の下流側端部をほぼ中心にして上方へ回動することが可能であり、回動は、図示しない遮蔽板駆動手段によってなされる。本実施例の遮蔽板２７には約２０％の開口率となるように通風穴（不図示）が形成されており、このため遮蔽板２７が図６に示される位置にあるときでも熱交換器６を通過した空気流の一部が本体ケースの空気噴出し口１２へ流れることができる。なお、前記通風穴の開口率は、第２角度位置に配置されたフィルタの内面３０ｂ、３１ｂに作用する圧力がフィルタに付着した塵埃を除去できるかぎりにおいて前記２０％より増やしてもよい。
【００３９】
第３の実施例のクーリングユニットは、以上のように構成されているので、クーリングユニットの所定の運転時間が経過したとき、第１角度位置と第２角度位置に配置されていたフィルタを移動させて入れ替えることによりフィルタの清掃が可能になる。このとき、第１角度位置で塵埃を捕捉して汚れた第１及び第２フィルタ３０、３１が、第１角度位置から第２角度位置に配置されたとき、本体ケース１０の塵埃排出口１３の蓋１４を開放し、同時に内部ダクト２０の遮蔽板２７を図６の位置まで上へ回動させるようにフィルタ移動手段１４０のモータ（不図示）及び蓋１４の駆動手段（不図示）及び遮蔽板駆動手段（不図示）を制御すれば、フィルタの内面３０ｂ、３１ｂに作用する空気流の圧力が上昇し、その結果フィルタに付着していた塵埃は空気流によって除去されて塵埃排出口１３から外部へ放出される。比較的短い所定の運転時間が経過した後、遮蔽板２７をほぼ水平位置になるまで下方へ回動させ、また塵埃排出口１３の蓋１４を閉じることにより空気流のほとんど全てが空気吹出口１２からバス室内へ供給される通常の運転モードに戻すことができる。
【００４０】
（第４の実施例）
次に第４の実施例のクーリングユニットを、そのエバポレータ６及びフィルタ３２の概略的な側面断面図である図７及び平面図である図８を参照しながら説明する。この実施例のクーリングユニットは、エバポレータ６、フィルタ３２、フィルタ移動手段２４０、及び本体ケース１０を具備し、さらに図７及び８には示されないが、第１の実施例のクーリングユニットと同様のエバポレータの下流側に配設された送風ファンも具備し、図の矢印ＡＦで示される方向に空気が流れる。但し、本実施例のクーリングユニットは前述の内部ダクトを具備しない。
【００４１】
この実施例では、フィルタ３２は無端帯状フィルタ３２であり、フィルタ移動手段２４０が互いに平行な軸線を有する複数（本実施例では６本）のローラを具備している。前記６本のローラは、２本の大径ローラ４３、４４と４本の小径ローラ４５とから構成されており、２本の大径ローラ４３、４４のうちの図８の上方の駆動ローラ４３に図示しないモータが連結されている。
【００４２】
６本のローラ４３、４４、４５は、エバポレータ６を取り囲むように配設され、それ等に掛け回された無端帯状フィルタ３２が、エバポレータ６の上流側の第１位置と下流側の第２位置を含む軌道に沿って循環移動するように配設されている。また、モータが連結された駆動ローラ４３が回転することによって無端帯状フィルタ３２は駆動される。
【００４３】
このように構成されているので、クーリングユニットの所定の運転時間が経過したとき無端帯状フィルタ３２が循環移動するようにモータを制御することにより、第１位置に配置されていた無端帯状フィルタ３２の部分と第２位置に配置されていた無端帯状フィルタ３２の部分を入れ替えることが可能である。第１位置に配置されたフィルタの部分はその外面３２ａに空気流の圧力が作用して塵埃を捕捉し、一方第２位置に配置されたフィルタの部分はその内面３２ｂに空気流の圧力が作用するのでそこに付着していた塵埃は空気流によって除去される。
【００４４】
前述の実施例は、本発明がバス等に用いられるクーリングユニットに適用された場合のものであったが、本発明はバス等の空気調和ユニットに限定されるものではなく、他の車両、住宅、又はビル等の空気調和ユニットにも適用可能である。
【図面の簡単な説明】
【００４５】
【図１】本発明によるクーリングユニットを含む車両用空気調和装置とそれを搭載するバスを示す斜視図である。
【図２】第１の実施例のクーリングユニットの概略側面断面図であり、フィルタが上流の第１角度位置に配置された状態を示す図である。
【図３】図２と同様の図であるが、フィルタが下流の第２角度位置に配置された状態を示す図である。
【図４】第１の実施例における、フィルタの装着されたフィルタ支持枠と内部ダクトの分解斜視図である。
【図５】第２の実施例のクーリングユニットにおける、フィルタの装着された２つのフィルタ支持枠の平面図及び側面図であり、２つのフィルタ支持枠の配置される角度位置を入れ替えた状態を示す図である。
【図６】第３の実施例のクーリングユニットの概略側面断面図である。
【図７】第４の実施例のクーリングユニットの要部の概略側面図である。
【図８】第４の実施例のクーリングユニットの要部の概略平面図である。
【符号の説明】
【００４６】
６    熱交換器
７    送風ファン
１０    本体ケース
１１    空気吸入口
１２    空気吹出口
２０    内部ダクト
３０    フィルタ
３０ａ    フィルタ外面
３０ｂ    フィルタ内面
４０    移動手段
４１    フィルタ支持枠
【図１】
2008196773.tif 000003
【図２】
2008196773.tif 000004
【図３】
2008196773.tif 000005
【図４】
2008196773.tif 000006
【図５】
2008196773.tif 000007
【図６】
2008196773.tif 000008
【図７】
2008196773.tif 000009
【図８】
2008196773.tif 000010